(57)【要約】【課題】不快感を与えるような雰囲気が滞留せず、乳幼児の成育及び健康に適した雰囲気、温度、湿度に換気することができる乳母車用カバーを提供する。【解決手段】乳母車用カバー１を構成する中央部カバー２の天井部閉塞シート２ｅを上昇移動させ、後面部及び両側部の閉塞シート４…を下方に引き下げ、中央部カバー２の上側開口部２ｃと、後側フラップ２ａの後側開口部２ｃと、側面部カバー３，３の両側開口部３ｃ，３ｃとを開放して換気する。且つ、中央部カバー２の前側フラップ２ｂを上方に開放して換気することもできる。一方、中央部カバー２の上側開口部２ｃを天井部閉塞シート２ｅで閉塞し、後側フラップ２ａの後側開口部２ｃ及び側面部カバー３，３の両側開口部３ｃ，３ｃを閉塞シート４…で閉塞して、乳幼児に不快感を与えるような雰囲気が侵入するのを阻止する。【選択図】  図１
2005153588.tif 000002
【特許請求の範囲】
【請求項１】
乳母車の略全体が覆われる大きさで、透光性を有する合成樹脂で形成した乳母車用カバーであって、
上記乳母車カバーの内部と外部との換気が許容される開口部を、該乳母車用カバーの上部側に設け、
上記開口部の略全面が閉塞される大きさに形成した閉塞シートを、該開口部に対して開閉可能に取り付けた
乳母車用カバー。
【請求項２】
上記開口部及び閉塞シートを、上記乳母車の上部側に覆われる乳母車用カバーの天井部に設けた
請求項１記載の乳母車用カバー。
【請求項３】
上記開口部及び閉塞シートを、上記乳母車用カバーの上部側面及び上部後面の少なくとも一方に設けた
請求項１記載の乳母車用カバー。
【請求項４】
上記閉塞シートを、遮光性を有するシートで構成した
請求項２記載の乳母車用カバー。
【請求項５】
上記閉塞シートを所望する開放状態に開閉調節自在に設けた
請求項１，２，３又は４記載の乳母車用カバー。
【請求項６】
上記開口部の略全面を通気可能なメッシュで形成した
請求項１，２又は３記載の乳母車用カバー。
【請求項７】
上記乳母車用カバーの前面部を換気が許容される状態に開放可能に設けた
請求項１記載の乳母車用カバー。
【発明の詳細な説明】
【技術分野】
【０００１】
この発明は、例えば風雨や雪、排気ガス、湿気、悪臭等の乳幼児に不快感を与えるような雰囲気を滞留させず、乳幼児の成育及び健康に適した環境に保つことができる乳母車用カバーに関する。
【背景技術】
【０００２】
従来、上述の乳母車用カバーとしては、例えば所定以上の温度に達したとき視認可能な色に変色する温度センサを、乳幼児が保護される空間を与えるための覆いを構成する布地に直接プリントした特許文献１の覆いを備える乳母車と、動力フィルタユニットから供給される濾過空気を、キャノピーと座席ユニットとの間の区画室に送風しながら、区画室内の暖かい空気をキャノピーのメッシュから排出する特許文献２の身体保護装置とがある。
【０００３】
しかし、特許文献１の覆いを備える乳母車は、太陽から照射される日光が覆いに直接当たると、覆い内部の温度が急上昇し、乳幼児に不快感を与えるか、脱水症状を起こすようなことがあるため、覆いの一部を手で捲り上げて、暖かい空気を外部に排出し、新鮮な空気を内部に取り込んで換気するが、覆いの一部を捲り上げた状態に保持しなければならず、換気作業に手間が掛かる。また、特許文献２の身体保護装置は、動力フィルタユニットを、ベビーバギーに着座する乳幼児の頭部近くに取り付けているので、送風時に発生する駆動音及び送風音が大きく、乳幼児の眠りを妨げるか、不快感を与えることがある。且つ、濾過空気を強制的に送風するため、息苦しさを乳幼児に与えることもある。
【０００４】
【特許文献１】実開平２-９２３７９号公報。
【特許文献２】特表平１１−５０７３０６号公報。
【発明の開示】
【発明が解決しようとする課題】
【０００５】
この発明は上記問題に鑑み、乳母車用カバーの上部側開口部に取り付けられた閉塞シートを開放することにより、乳母車用カバー内部の雰囲気が効率よく排出され、乳幼児の成育及び健康に適した雰囲気、温度、湿度に換気することができる乳母車用カバーの提供を目的とする。
【課題を解決するための手段】
【０００６】
この発明は、乳母車の略全体が覆われる大きさで、透光性を有する合成樹脂で形成した乳母車用カバーであって、上記乳母車カバーの内部と外部との換気が許容される開口部を、該乳母車用カバーの上部側に設け、上記開口部の略全面が閉塞される大きさに形成した閉塞シートを、該開口部に対して開閉可能に取り付けた乳母車用カバーであることを特徴とする。
【０００７】
上述の乳母車用カバー及び閉塞シートは、例えばカバー外部の景色を乳幼児が目視するか、乳幼児の様子をカバー外部から目視することが可能な透光性及び柔軟性を有するシート状の合成樹脂で形成することができる。また、閉塞シートは、例えば開口部の略全面が閉塞される大きさに形成した一枚のシートで構成するか、複数枚のシートを連結する等して構成することができる。つまり、乳母車用カバーの上部側開口部を閉塞シートで閉塞して、例えば風雨や雪、排気ガス、湿気、悪臭等の乳幼児に不快感を与えるような雰囲気が侵入しようとするのを阻止し、その雰囲気等による外的要因から乳幼児を保護する。且つ、閉塞シートを開放して、乳母車用カバー内部の暖かい雰囲気を上部側開口部から排出して、乳幼児の成育及び健康に適した雰囲気、温度、湿度に換気する。
【０００８】
実施の形態として、上記開口部及び閉塞シートを、上記乳母車の上部側（座席部上部の日除け部上面）に覆われる乳母車用カバーの天井部に設けることができる。また、上記開口部及び閉塞シートを、上記乳母車用カバーの上部側面及び上部後面の少なくとも一方に設けることができる。また、上記閉塞シートを、遮光性を有するシートで構成することができる。つまり、例えばアルミニウムやその他の金属、遮光剤を蒸着するか、塗布する等して遮光性を持たせたシート、或いは、遮光性を有する素材で形成されたシートで構成することができ、乳母車に乗車する乳幼児に向けて照射される日光を天井部閉塞シートで遮光し、内部温度の上昇を抑えると共に、乳幼児に脱水症状が起きるのを防止する。
【０００９】
また、上記閉塞シートを所望する開放状態に開閉調節自在に設けることができる。つまり、開閉シートを、例えばネジ軸やモータ、シリンダー等で所望する高さに上下動するか、所望する角度に上下回動する等して開閉する。また、上記開口部の略全面を通気可能なメッシュで形成することができる。そのメッシュは、例えば雰囲気（空気を含む）の流通及び通気が許容される網目サイズのネットを両側全面に形成するか、所望する孔径サイズの孔部を両側全面に多数形成（パンチングを含む）する等して構成することができる。また、上記乳母車用カバーの前面部を換気が許容される状態に開放可能に設けることができる。
【発明の効果】
【００１０】
この発明によれば、乳母車用カバーの上部側開口部に取り付けられた閉塞シートを開放して換気するので、乳母車用カバー内部の暖かい雰囲気が効率よく排出され、乳幼児に不快感を与えるような雰囲気が、乳母車用カバー内部及び乳幼児の周囲に滞留せず、乳幼児の成育及び健康に適した雰囲気、温度、湿度に換気することができる。且つ、開口部全体を閉塞シートで閉塞して、例えば風雨や雪、排気ガス、湿気、悪臭等の不快感を与えるような雰囲気が侵入するのを阻止するので、その雰囲気等による外的要因から乳幼児を保護することができる。
【発明を実施するための最良の形態】
【００１１】
この発明は、乳母車用カバー内部の雰囲気を効率よく排出して、乳幼児の成育及び健康に適した雰囲気、温度、湿度に換気することができるという目的を、乳母車用カバーの上部側開口部に取り付けられた閉塞シートを開放して換気することで実現した。
【実施例】
【００１２】
この発明の一実施例を以下図面に基づいて詳述する。
【００１３】
図面は、１人乗り用の乳母車（ベビーカー）に乗車する乳幼児を、不快感を与えるような雰囲気、温度から保護する機能を備えた乳母車用カバーを示し、図１、図２、図３に於いて、この乳母車用カバー１は、走行形態を有する乳母車Ａの前部及び上部、後部が覆われる大きさに形成した中央部カバー２と、乳母車Ａの両側部が覆われる大きさに形成した左右一対の側面部カバー３，３と、中央部カバー２の上部側（天井部）に形成した開口部２ｃが覆われる大きさに形成した天井部（天板部）の閉塞シート２ｅと、側面部カバー３，３の上部側面に形成した開口部３ｃ，３ｃが覆われる大きさに形成した左右一対の閉塞シート４，４とで構成される。且つ、中央部カバー２及び側面部カバー３，３、閉塞シート２ｅ，４とを、透光性及び柔軟性を有するシート状の合成樹脂で形成している。
【００１４】
上述の中央部カバー２を、乳母車Ａの前部及び上部、後部（背部）が覆われる長さ及び横幅に形成し、側面部カバー３を、乳母車Ａの側部が覆われる大きさ及び形状に形成し、中央部カバー２の中央両側縁部と側面部カバー３，３の中央上側縁部とを一体的に接合（例えば接着又は溶着、縫着等）して、乳母車Ａの略全体（底部以外の前部及び上部、後部、両側部）が覆われる立体形状に形成している。また、中央部カバー２と側面部カバー３との対向縁部全長を、例えばスライドファスナーや面ファスナー、ホック、ボタン、マグネット等で着脱自在に固定してもよい。
【００１５】
且つ、図５にも示すように、例えば小さい虫（蚊や蝿等の病害虫）やゴミ等の侵入が阻止され、雰囲気（空気を含む）の流通及び通気が許容される網目サイズに形成したメッシュ２ｄを、中央部カバー２の天井部に形成した開口部２ｃに取り付け、乳母車用カバー１の内部と外部とを換気可能に連通している。
【００１６】
且つ、例えばアルミニウムやその他の金属、遮光剤が蒸着又は塗布され、開口部２ｃ及びメッシュ２ｄが覆われる大きさに形成した遮光性を有する閉塞シート２ｅを、開口部２ｃが囲繞される大きさに形成した昇降枠２ｆに取り付け、その昇降枠２ｆの後側両端部に垂設された正逆回動可能なネジ軸２ｇ，２ｇを、支持枠２ｈの後側両端部に固定されたナット部２ｉ，２ｉに上下動可能に挿通すると共に、その支持枠２ｈの後側両端部を乳母車Ａのハンドル部Ａｅ側（フレーム）に連結して、閉塞シート２ｅを、例えば雨水や水滴等がメッシュ２ｄから侵入するのを防止し、外面に沿って流下しやすい斜設するか、曲面又は斜面に形成している。つまり、ネジ軸２ｇ，２ｇを、回動操作具（図示省略）により正逆方向に回動操作して、閉塞シート２ｅ全体を、中央部カバー２の開口部２ｃ全面が閉塞される降下位置（図４参照）と、その開口部２ｃ略全面が開放される上昇位置（図１参照）との間で所望する高さに上下動する。
【００１７】
且つ、中央部カバー２の開口部２ｃを、支持枠２ｈ全周が覆われるように巻き付けて留め具（例えば面ファスナーやマグネット、ホック、ボタン等）で着脱自在に取り付けるか、開口部２ｃに取り付けた係止具（例えばフックや留め金等）を支持枠２ｈに係止するか、挟持具（例えばクリップやチャック等）で支持枠２ｈを挟持する等して着脱自在に取り付けている。
【００１８】
なお、上述の昇降枠２ｆの後側両端部を、支持枠２ｈの後側両端部に立設したガイド軸（図示省略）に上下動可能に取り付け、その昇降枠２ｆの後側両端部に取り付けられたネジ部材（図示省略）をガイド軸に当接して、閉塞シート２ｅを所望する上下高さに固定するか、モータやシリンダー等で所望する高さに上下動するか、所望する角度に上下回動する等して開閉することもできる。また、昇降枠２ｆ及び支持枠２ｈを折畳み可能に設けることもできる。
【００１９】
且つ、中央部カバー２の後側縁部に連設した後側フラップ２ａを、乳母車Ａを構成する座席部Ａａ及び背凭れ部Ａｂの後面側が覆われる大きさ及び形状に形成し、中央部カバー２の前側縁部に連設した前側フラップ２ｂを、座席部Ａａ及びステップ部Ａｃの前面側が覆われる大きさ及び形状に形成している。また、乳母車Ａのステップ部Ａｃ下面に対して係止される方向に折り返して、走行時に於いて、例えば水や泥等が跳ね上がるのを防止することもできる。
【００２０】
且つ、スライドファスナー６を、中央部カバー２を構成する前側フラップ２ｂと、側面部カバー３，３を構成する前側フラップ３ｂ，３ｂとの下端側対向縁部から上端側対向縁部に至る前側縁部（前側コーナー部）の略全長に取り付けて、前側フラップ２ｂを上下開閉可能に設けている。つまり、スライドファスナー６を下端側から開閉操作して、前側フラップ２ｂを人為的又は機械的（電動を含む）に上方に開放（例えば引き上げや巻き上げ、捲り上げる等）すれば、乳母車用カバー１の下部前面及び前面部に、例えば人の手や物品等の出し入れ、乳幼児の乗降が許容される所望する大きさの開口部２ｃを形成することができる。閉塞時において、例えば風雨や雪、排気ガス等の外的要因の侵入が阻止することができる。なお、スライドファスナー６を上端側及び下端側から開閉操作可能に設けることもできる。また、スライドファスナー６に代わる閉塞手段の他の例として、例えば面ファスナーやマグネット、ホック等で固定することもできる。
【００２１】
前述の側面部カバー３，３の後側縁部に連設した後側フラップ３ａ，３ａを、背凭れ部Ａｂ後面と対向する状態に垂下された後側フラップ２ａが包み込まれる大きさ及び形状に形成している。且つ、後側フラップ３ａ，３ａの対向縁部に取り付けた紐部材５は、上述の後側フラップ２ａを後側フラップ３ａ，３ａで包み込んだときに結び止められる。また、紐部材５に代わる固定手段の他の例として、例えば後側フラップ３ａ，３ａの対向縁部を面ファスナー７で着脱可能に固定することもできる。
【００２２】
且つ、前述のメッシュ２ｄと略同等の網目サイズに形成したメッシュ３ｄを、側面部カバー３の上部側面に形成した開口部３ｃに取り付け、乳母車用カバー１の内部と外部とを換気可能に連通している。また、メッシュ２ｄ，３ｄに代わる換気手段の他の例として、例えばメッシュ３ｄの網目と略同等（又は同等以下、同等以上）の大きさを有する孔部を、側面部カバー３の略全面に多数形成（パンチング加工）することもできる。
【００２３】
且つ、例えば雨水や水滴等がメッシュ３ｄから侵入するのを防止し、外面に沿って流下しやすい傾斜部３ｅ（又は日除け部）を、開口部３ｃの上縁部に沿って後側上縁部から前側上縁部に向けて徐々に低くなる曲面又は斜面に形成すると共に、外側斜め下方に向けてせり出すように取り付けている。また、傾斜部３ｅを、前側上縁部から後側上縁部に向けて徐々に低くなる角度に傾斜することもできる。
【００２４】
前述の閉塞シート４，４は、左右略同一の取り付け構造を有しているので、一方の閉塞シート４の取り付け構造を図面に基づいて詳述する。この閉塞シート４は、図５にも示すように、開口部３ｃ及びメッシュ３ｄの略全体が覆われる大きさに形成され、その開閉シート４の下端側縁部を、開口部３ｃの下端側縁部（外面側）に固定して、閉塞シート４を、メッシュ３ｄの略全体が閉塞される閉塞状態と、メッシュ３ｄの略全体が開放される開放状態とに上下開閉可能（捲上げや折曲げ、屈曲、巻回する等して開閉する方法を含む）に設けている。
【００２５】
且つ、面ファスナー７…を、開口部３ｃと閉塞シート４との上側対向縁部（上側縁部）に取り付けて、閉塞シート４を、メッシュ３ｄの略全面が閉塞及び覆われる状態に面ファスナー７…で固定する。また、開口部３ｃと閉塞シート４との両側対向縁部（左右縁部）を面ファスナー７…で開閉可能に固定することもできる。なお、紐部材５及び面ファスナー７に代わる固定手段の他の例として、例えばスライドファスナーやマグネット、ホック、ボタン、フック、両面粘着テープ、粘着剤等で固定することもできる。
【００２６】
且つ、図２にも示すように、前述の中央部カバー２を構成する後側フラップ２ａの上部後面に形成した後側開口部２ｃにメッシュ２ｄを取り付け、その開口部２ｃ及びメッシュ２ｄが覆われる大きさに形成した上述の閉塞シート４を、後側開口部２ｃに対して上下開閉可能に設け、後側開口部３ｃの上縁部に沿って上述の傾斜部３ｅを取り付けている。
【００２７】
且つ、乳母車用カバー１内部（又は外部）に取り付けられた温度表示器８は、乳母車用カバー１内部の乳母車Ａに乗車する乳幼児に近い部分の温度を温度センサ（図示省略）で検知し、その検知情報に基づいて、乳母車用カバー１内部の温度変化に略対応した温度を、例えばアナログやディジタル等の数値及び文字で表示すると共に、乳母車Ａを手押しする人が容易に視認できるように表示する。また、温度表示器８の代わりに、例えば乳母車用カバー１内部の温度変化に略対応した明るさや色合いに変化するレベルゲージ式の表示器で表示することもできる。
【００２８】
且つ、乳母車用カバー１内部（又は外部）に取り付けられた温度報知器９は、乳母車用カバー１内部の乳母車Ａに乗車する乳幼児に近い部分の温度を温度センサ（図示省略）で検知し、その検知情報に基づいて、乳母車用カバー１内部の温度変化に略対応した温度を、乳母車Ａを手押しする人が容易に聴き取りできるように、例えば温度変化に略対応した大きさの音を発するブザー、温度変化に略対応したメロディーや音声を発するスピーカー等で報知する。或いは、温度変化に略対応した明るさや色合いに変色するランプ等で報知することもできる。
【００２９】
また、乳母車用カバー１を構成する中央部カバー２及び側面部カバー３、閉塞シート４の何れか一部又は全体を、温度変化に略対応して濃淡や色合いが変化するような素材及び材質で構成することもできる。或いは、乳母車用カバー１の一部又は全体を、例えば紫外線及び赤外線の何れか一方又は両方を遮断する機能を備えた合成樹脂で構成することもできる。
【００３０】
図示実施例は上記の如く構成するものにして、以下、乳母車用カバー１により乳母車Ａに乗車する乳幼児を保護する方法を説明する。
【００３１】
先ず、乳母車用カバー１を、図１及び図２に示すように、走行形態を有する乳母車Ａの略全体が覆われる立体形状に展開した後、中央部カバー２の天井部を、座席部Ａａ上部の日除け部Ａｄ上面が覆われる状態に載置し、側面部カバー３，３を、乳母車Ａの両側部が覆われる状態に垂下する。
【００３２】
且つ、中央部カバー２の後側フラップ２ａを、上下逆Ｕ字型を有するハンドル部Ａｅの下をくぐらせて、座席部Ａａの背凭れ部Ａｂ後面が覆われる状態に垂下すると共に、側面部カバー３，３に連設した後側フラップ３ａ，３ａを、座席部Ａａの背凭れ部Ａｂ後面と対向する後側フラップ２ａが包み込まれる方向に折り返した後、後側フラップ３ａ，３ａの紐部材５，５を互に結び止めて、乳母車用カバー１を、乳母車Ａの略全体が覆われる状態に被覆セットする。
【００３３】
次に、乳幼児乗車時において、乳母車用カバー１内部の温度を、温度表示器８及び温度報知器９の何れか一方又は両方で確認し、乳幼児に不快感を与えるような温度であると判断された場合、その温度に応じて、中央部カバー２の天井部閉塞シート２ｅと、後面部及び両側部の閉塞シート４…を開閉して、所望する温度に換気調節する。且つ、乳母車Ａに乗車する乳幼児に向けて照射される日光を、遮光性を有する天井部の閉塞シート２ｅで遮光する。
【００３４】
つまり、天井部の閉塞シート２ｅと、後面部及び両側部の閉塞シート４…を閉塞する場合、図４、図５に示すように、閉塞シート２ｅをネジ軸２ｇ，２ｇの回動操作により閉塞方向に降下移動させ、中央部カバー２の上側開口部２ｃを閉塞シート２ｅで略全面閉塞する。且つ、後側フラップ２ａの後側開口部２ｃ及び側面部カバー３，３の両側開口部３ｃ，３ｃに取り付けられた閉塞シート４…を上方に引き上げて面ファスナー７…で固定し、後側開口部２ｃ及び両側開口部３ｃ，３ｃを閉塞シート４…で閉塞すると、乳幼児に不快感を与えるような雰囲気が乳母車用カバー１内部に侵入するのを阻止する。
【００３５】
次に、天井部の閉塞シート２ｅと、後面部及び両側部の閉塞シート４…との何れか一方又は両方を開放する場合、図１、図２、図５に示すように、閉塞シート２ｅをネジ軸２ｇ，２ｇの回動操作により開放方向に上昇移動させて、中央部カバー２の上側開口部２ｃを所望する大きさに開放すると、乳母車用カバー１内部の暖かい空気と外部の新鮮な空気とが、上側開口部２ｃ及びメッシュ２ｄの略全面を介して換気される。
【００３６】
且つ、後面部及び両側部の閉塞シート４…を下方に引き下げて、後側フラップ２ａの後側開口部２ｃと、側面部カバー３，３の両側開口部３ｃ，３ｃとの略全面を開放すると、乳母車用カバー１内部の暖かい空気と外部の新鮮な空気とが、後側開口部２ｃ及び及びメッシュ２ｄと、両側開口部３ｃ，３ｃ及びメッシュ３ｄ，３ｄとの略全面を介して換気され、快適な温度、湿度に換気調整することができる。また、閉塞シート４をロール状に巻回するか、蛇行する状態に折り畳む等して前述の固定手段で固定すれば、所望する換気量に可変調節することもできる。また、閉塞シート２ｅ及び閉塞シート４…の両方を開放してもよい。
【００３７】
且つ、閉塞シート２ｅ及び閉塞シート４…の開放時において、中央部カバー２の前側フラップ２ｂを上方に開放して、外部の新鮮な空気を、下部前面及び前面部の開口部２ｃから乳母車用カバー１内部に取り込み、乳母車用カバー１内部の暖かい空気を、中央部カバー２の上側開口部２ｃ及び後側開口部２ｃと、側面部カバー３，３の開口部３ｃ，３ｃとの何れか一方又は両方から乳母車用カバー１外部に向けて短い時間で効率よく排出することもでき、換気効率が向上する。
【００３８】
以上のように、乳母車用カバー１を構成する中央部カバー２の天井部閉塞シート２ｅを上昇移動させ、後面部及び両側部の閉塞シート４…を下方に引き下げて、中央部カバー２の上側開口部２ｃと、後側フラップ２ａの後側開口部２ｃと、側面部カバー３，３の両側開口部３ｃ，３ｃとを開放するので、乳母車用カバー１内部の暖かい雰囲気が上部側開口部２ｃ，３ｃから効率よく排出され、乳幼児に不快感を与えるような雰囲気が、乳母車用カバー１内部及び乳幼児の周囲に滞留せず、乳幼児の成育及び健康に適した雰囲気、温度、湿度に換気することができる。且つ、中央部カバー２の上側開口部２ｃを閉塞シート２ｅで閉塞し、後側フラップ２ａの後側開口部２ｃ及び側面部カバー３，３の両側開口部３ｃ，３ｃを閉塞シート４…で閉塞して、例えば風雨や雪、排気ガス、湿気、悪臭等の不快感を与えるような雰囲気が侵入するのを阻止するので、その雰囲気等による外的要因から乳幼児を保護することができる。
【００３９】
且つ、中央部カバー２の上側開口部２ｃと、後側フラップ２ａの後側開口部２ｃと、側面部カバー３，３の両側開口部３ｃ，３ｃとの何れか一つ又は複数を開放して換気するので、乳母車用カバー１外部と内部との温度差が小さくなり、乳母車用カバー１の内壁面が水滴で曇ったりせず、外部及び内部を目視可能な透明度に維持することができる。
【００４０】
且つ、乳母車Ａに乗車する乳幼児に向けて照射される日光を、遮光性を有する天井部の閉塞シート２ｅで遮光して、乳母車用カバー１内部の温度上昇を抑えると共に、乳幼児に脱水症状が起きるのを防止することができる。
【００４１】
図６、図７は、中央部カバー２の上側開口部２ｃ及びメッシュ２ｄ、閉塞シート２ｅが無く、側面部カバー３，３の左右閉塞シート４，４を開閉する乳母車用カバー１の他の例を示し、閉塞シート４，４の何れか一方又は両方を開放して、両側開口部３ｃ，３ｃ及びメッシュ３ｄ，３ｄの略全面を介して換気する。
【００４２】
図８は、側面部カバー３，３の両側開口部３ｃ，３ｃ及びメッシュ３ｄ，３ｄが無く、中央部カバー２の閉塞シート２ｅを上下開閉する乳母車用カバー１のその他の例を示し、閉塞シート２ｅを開放方向に上昇移動させ、上側開口部２ｃを所望する大きさに開放して、上側開口部２ｃ及びメッシュ２ｄを介して換気する。
【００４３】
且つ、閉塞シート２ｅ及び閉塞シート４，４の何れか一方の開放時において、中央部カバー２の前側フラップ２ｂを上方に開放して、外部の新鮮な空気を開口部２ｃから乳母車用カバー１内部に取り込むこともでき、換気効率が向上し、前述の実施例と略同等の作用及び効果を奏することができる。
【００４４】
なお、本発明は、上述の実施例の構成のみに限定されるものではなく、例えば閉塞シート４を上方に引き上げ開閉可能に設けるか、左右方向に開閉可能に設けることもできる。
【産業上の利用可能性】
【００４５】
この発明の乳母車用カバーは、例えば２人乗り用や３人乗り用の乳母車に乗車する乳幼児を、不快感を与えるような雰囲気から保護するのにも利用することができる。
【図面の簡単な説明】
【００４６】
【図１】乳母車用カバーの天井部及び両側部を開放した状態を示す斜視図。
【図２】乳母車用カバーの被覆状態を示す背面図。
【図３】乳母車用カバーを立体形状に展開した状態を示す斜視図。
【図４】天井部及び両側部を閉塞した状態を示す斜視図。
【図５】天井部閉塞シートの取り付け状態を示す拡大斜視図。
【図６】両側部閉塞シートを閉塞した乳母車用カバーの他の例を示す斜視図。
【図７】両側部閉塞シートを開放した状態を示す斜視図。
【図８】天井部閉塞シートを開閉する乳母車用カバーのその他の例を示す斜視図。
【符号の説明】
【００４７】
Ａ…乳母車
１…乳母車用カバー
２…中央部カバー
２ｂ…前側フラップ
２ｃ，３ｃ…開口部
２ｄ，３ｄ…メッシュ
２ｅ…閉塞シート
３…側面部カバー
４…閉塞シート
６…スライドファスナー
７…面ファスナー
８…温度表示器
９…温度報知器
【図１】
2005153588.tif 000003
【図２】
2005153588.tif 000004
【図３】
2005153588.tif 000005
【図４】
2005153588.tif 000006
【図５】
2005153588.tif 000007
【図６】
2005153588.tif 000008
【図７】
2005153588.tif 000009
【図８】
2005153588.tif 000010